(57)【要約】【課題】ＣＭに分断されることなく番組を視聴させることができ、且つ、ＣＭをより簡易に、且つ確実に視聴させることができる放送記録装置を提供する。【解決手段】  サーバと接続される放送記録装置２に、放送データを受信するアンテナ４と、ＣＰＵ１１に、当該放送データを時間情報と対応付けてＨＤＤ６に記憶させる録画プログラム１３Ｃと、放送データの記憶を開始してから所定時間経過後に、サーバに記憶された番組データ及びＣＭデータが放送された時間情報である放送結果データを取得させる放送結果取得プログラム１３Ｅと、放送結果データの時間情報とＨＤＤ６に記憶された放送データの時間情報とを比較して、ＨＤＤ６に記憶された放送データに含まれる番組データとＣＭデータとを認識し、認識したＣＭデータに強制再生フラグを付加し、認識したＣＭデータの全てを認識した番組データよりも前に移動させる編集プログラム１３Ｈと、を備えた。【選択図】図２
2007214672.tif 000002
【特許請求の範囲】
【請求項１】
サーバと、ネットワークを介して前記サーバと接続される放送記録装置と、を備える放送記録システムにおいて、
前記サーバは、
放送番組が放送される予定の時間情報である放送スケジュールデータを記憶する放送スケジュール記憶手段と、
放送番組の番組データ及びＣＭデータが放送された時間情報である放送結果データを記憶する放送結果記憶手段と、
を備え、
前記放送記録装置は、
前記放送番組の前記番組データと前記ＣＭデータとを含む放送データを受信する受信手段と、
前記受信手段により受信した当該放送データを時間情報と対応付けて記憶手段に記憶させる記憶制御手段と、
前記記憶制御手段による放送データの記憶が開始されてから所定時間経過後に、前記サーバの前記放送結果記憶手段に記憶された前記放送結果データを取得する放送結果取得手段と、
前記放送結果取得手段により取得された放送結果データ内の前記番組データ及び前記ＣＭデータが放送された時間情報と前記記憶手段に記憶された放送データの時間情報とを比較して、前記記憶手段に記憶された放送データに含まれる番組データとＣＭデータとを認識する認識手段と、
前記認識手段により認識されたＣＭデータに、当該ＣＭデータを強制的に再生させるための強制再生情報を付加する付加手段と、
前記認識手段により認識されたＣＭデータの全てを前記認識手段により認識された番組データよりも前に移動させる移動手段と、
前記記憶制御手段により前記記憶手段に記憶させる放送番組の放送データの記憶開始時間及びチャンネルを指定するための指定手段と、
前記サーバに記憶された前記放送番組が放送される予定の時間情報である放送スケジュールデータを取得する放送スケジュール取得手段と、
前記放送スケジュール取得手段により取得された放送スケジュールデータ内の前記放送データが放送される予定の時間情報と前記指定手段により指定された記憶開始時間とを比較して、前記指定手段によりどの放送番組の記憶が指定されたのかを確認する確認手段と、
前記放送結果取得手段により取得された放送結果データ内の前記番組データ及び前記ＣＭデータが放送された時間情報と現時刻とを比較して、前記確認手段により確認された放送番組の放送が終了したか否かを判断する判断手段と、
を備え、
前記記憶制御手段は、
前記指定手段により指定された記憶開始時間に、前記指定手段により指定されたチャンネルの放送データの記憶を前記記憶手段に開始し、
前記判断手段により、放送番組の放送が終了したと判断された場合に、前記記憶手段による放送データの記憶を終了させることを特徴とする放送記録システム。
【請求項２】
ネットワークを介してサーバと接続される放送記録装置において、
放送番組の番組データとＣＭデータとを含む放送データを受信する受信手段と、
前記受信手段により受信した当該放送データを時間情報と対応付けて記憶手段に記憶させる記憶制御手段と、
前記記憶制御手段による放送データの記憶が開始されてから所定時間経過後に、前記サーバに記憶された前記放送番組の前記番組データ及び前記ＣＭデータが放送された時間情報である放送結果データを取得する放送結果取得手段と、
前記放送結果取得手段により取得された放送結果データ内の前記番組データ及び前記ＣＭデータが放送された時間情報と前記記憶手段に記憶された放送データの時間情報とを比較して、前記記憶手段に記憶された放送データに含まれる番組データとＣＭデータとを認識する認識手段と、
前記認識手段により認識されたＣＭデータに、当該ＣＭデータを強制的に再生させるための強制再生情報を付加する付加手段と、
前記認識手段により認識されたＣＭデータの全てを前記認識手段により認識された番組データよりも前に移動させる移動手段と、
を備えることを特徴とする放送記録装置。
【請求項３】
前記記憶制御手段により前記記憶手段に記憶させる放送番組の放送データの記憶開始時間及びチャンネルを指定するための指定手段を備え、
前記記憶制御手段は、
前記指定手段により指定された記憶開始時間に、前記指定手段により指定されたチャンネルの放送データの記憶を前記記憶手段に開始させることを特徴とする請求項２に記載の放送記録装置。
【請求項４】
前記サーバに記憶された前記放送番組が放送される予定の時間情報である放送スケジュールデータを取得する放送スケジュール取得手段と、
前記放送スケジュール取得手段により取得された放送スケジュールデータ内の前記放送データが放送される予定の時間情報と前記指定手段により指定された記憶開始時間とを比較して、前記指定手段によりどの放送番組の記憶が指定されたのかを確認する確認手段と、
前記放送結果取得手段により取得された放送結果データ内の前記番組データ及び前記ＣＭデータが放送された時間情報と現時刻とを比較して、前記確認手段により確認された放送番組の放送が終了したか否かを判断する判断手段と、
を備え、
前記記憶制御手段は、
前記判断手段により、放送番組の放送が終了したと判断された場合に、前記記憶手段による放送データの記憶を終了させることを特徴とする請求項２又は３に記載の放送記録装置。
【発明の詳細な説明】
【技術分野】
【０００１】
本発明は、放送記録装置及び放送記録システムに関する。
【背景技術】
【０００２】
従来、放送データを録画する際に、放送データに含まれるＣＭ（Commercial  Message）データの録画位置をずらしたり、当該ＣＭデータを消去することにより、番組をＣＭにより分断されることなく視聴者に提供する放送記録装置が知られている（例えば、特許文献１，２）。また、録画した放送データを視聴する前に、当該放送データに含まれるＣＭデータの一覧を表示し、当該一覧の中からＣＭデータを選択させ、選択されたＣＭデータと同等内容のＷＥＢコンテンツを視聴した場合には、録画した放送データを視聴する際に、当該ＣＭを飛ばして視聴することができるようにした放送受信システムも知られている（例えば、特許文献３）。また、ネットワークサーバから放送データに含まれるＣＭデータを番組データよりも先にダウンロードしてＨＤＤに記憶し、当該ＨＤＤに記憶されたＣＭデータを視聴させている間に、番組データをネットワークサーバからダウンロードしてＨＤＤに記憶させ、ＣＭデータの視聴後に、当該番組データを視聴させる放送受信システムも知られている（特許文献４）。
【特許文献１】特開２０００−２７０２９０号公報
【特許文献２】特開２００３−００９０４７号公報
【特許文献３】特開２００５−１９１６１７号公報
【特許文献４】特開２００３−１９９０００号公報
【発明の開示】
【発明が解決しようとする課題】
【０００３】
しかしながら、ＣＭデータを消去すると、視聴者はＣＭによって分断されることなく番組を視聴できることとなるが、番組のスポンサーにとっては、ＣＭが視聴されないこととなると、スポンサーとなるのを敬遠してしまうこととなり、テレビ放送のシステムに弊害を招来するという問題がある。また、特許文献３では、ＣＭデータと同等のＷＥＢコンテンツを視聴しなければＣＭを飛ばすことができないようになっているが、視聴者は、ＣＭに分断されることなく番組を視聴したい場合には、ＷＥＢコンテンツで視聴するＣＭデータをいちいち選択しなければならず、面倒である。また、特許文献４の発明は、サーバ型放送にのみ利用できるだけであって、一般のデジタル放送等では利用できない。
【０００４】
本発明の課題は、ＣＭに分断されることなく番組を視聴させることができ、且つ、ＣＭをより簡易に、且つ確実に視聴させることができる放送記録装置を提供することである。
【課題を解決するための手段】
【０００５】
請求項１に記載の発明は、サーバと、ネットワークを介して前記サーバと接続される放送記録装置と、を備える放送記録システムにおいて、
前記サーバは、
放送番組が放送される予定の時間情報である放送スケジュールデータを記憶する放送スケジュール記憶手段と、
放送番組の番組データ及びＣＭデータが放送された時間情報である放送結果データを記憶する放送結果記憶手段と、
を備え、
前記放送記録装置は、
前記放送番組の前記番組データと前記ＣＭデータとを含む放送データを受信する受信手段と、
前記受信手段により受信した当該放送データを時間情報と対応付けて記憶手段に記憶させる記憶制御手段と、
前記記憶制御手段による放送データの記憶が開始されてから所定時間経過後に、前記サーバの前記放送結果記憶手段に記憶された前記放送結果データを取得する放送結果取得手段と、
前記放送結果取得手段により取得された放送結果データ内の前記番組データ及び前記ＣＭデータが放送された時間情報と前記記憶手段に記憶された放送データの時間情報とを比較して、前記記憶手段に記憶された放送データに含まれる番組データとＣＭデータとを認識する認識手段と、
前記認識手段により認識されたＣＭデータに、当該ＣＭデータを強制的に再生させるための強制再生情報を付加する付加手段と、
前記認識手段により認識されたＣＭデータの全てを前記認識手段により認識された番組データよりも前に移動させる移動手段と、
前記記憶制御手段により前記記憶手段に記憶させる放送番組の放送データの記憶開始時間及びチャンネルを指定するための指定手段と、
前記サーバに記憶された前記放送番組が放送される予定の時間情報である放送スケジュールデータを取得する放送スケジュール取得手段と、
前記放送スケジュール取得手段により取得された放送スケジュールデータ内の前記放送データが放送される予定の時間情報と前記指定手段により指定された記憶開始時間とを比較して、前記指定手段によりどの放送番組の記憶が指定されたのかを確認する確認手段と、
前記放送結果取得手段により取得された放送結果データ内の前記番組データ及び前記ＣＭデータが放送された時間情報と現時刻とを比較して、前記確認手段により確認された放送番組の放送が終了したか否かを判断する判断手段と、
を備え、
前記記憶制御手段は、
前記指定手段により指定された記憶開始時間に、前記指定手段により指定されたチャンネルの放送データの記憶を前記記憶手段に開始し、
前記判断手段により、放送番組の放送が終了したと判断された場合に、前記記憶手段による放送データの記憶を終了させることを特徴としている。
【０００６】
請求項２に記載の発明は、ネットワークを介してサーバと接続される放送記録装置において、
放送番組の番組データとＣＭデータとを含む放送データを受信する受信手段と、
前記受信手段により受信した当該放送データを時間情報と対応付けて記憶手段に記憶させる記憶制御手段と、
前記記憶制御手段による放送データの記憶が開始されてから所定時間経過後に、前記サーバに記憶された前記放送番組の前記番組データ及び前記ＣＭデータが放送された時間情報である放送結果データを取得する放送結果取得手段と、
前記放送結果取得手段により取得された放送結果データ内の前記番組データ及び前記ＣＭデータが放送された時間情報と前記記憶手段に記憶された放送データの時間情報とを比較して、前記記憶手段に記憶された放送データに含まれる番組データとＣＭデータとを認識する認識手段と、
前記認識手段により認識されたＣＭデータに、当該ＣＭデータを強制的に再生させるための強制再生情報を付加する付加手段と、
前記認識手段により認識されたＣＭデータの全てを前記認識手段により認識された番組データよりも前に移動させる移動手段と、
を備えることを特徴としている。
【０００７】
請求項３に記載の発明は、請求項２に記載の放送記録装置において、
前記記憶制御手段により前記記憶手段に記憶させる放送番組の放送データの記憶開始時間及びチャンネルを指定するための指定手段を備え、
前記記憶制御手段は、
前記指定手段により指定された記憶開始時間に、前記指定手段により指定されたチャンネルの放送データの記憶を前記記憶手段に開始させることを特徴としている。
【０００８】
請求項４に記載の発明は、請求項２又は３に記載の放送記録装置において、
前記サーバに記憶された前記放送番組が放送される予定の時間情報である放送スケジュールデータを取得する放送スケジュール取得手段と、
前記放送スケジュール取得手段により取得された放送スケジュールデータ内の前記放送データが放送される予定の時間情報と前記指定手段により指定された記憶開始時間とを比較して、前記指定手段によりどの放送番組の記憶が指定されたのかを確認する確認手段と、
前記放送結果取得手段により取得された放送結果データ内の前記番組データ及び前記ＣＭデータが放送された時間情報と現時刻とを比較して、前記確認手段により確認された放送番組の放送が終了したか否かを判断する判断手段と、
を備え、
前記記憶制御手段は、
前記判断手段により、放送番組の放送が終了したと判断された場合に、前記記憶手段による放送データの記憶を終了させることを特徴としている。
【発明の効果】
【０００９】
請求項１に記載の発明によれば、受信手段により、放送番組の番組データとＣＭデータとを含む放送データが受信され、記憶制御手段により、受信手段によって受信された当該放送データが時間情報と対応付けられて記憶手段に記憶され、放送結果取得手段により、記憶制御手段による放送データの記憶が開始されてから所定時間経過後に、サーバに記憶された放送番組の番組データ及びＣＭデータが放送された時間情報である放送結果データが取得され、認識手段により、放送結果取得手段によって取得された放送結果データ内の番組データ及びＣＭデータが放送された時間情報と記憶手段に記憶された放送データの時間情報とが比較されて、記憶手段に記憶された放送データに含まれる番組データとＣＭデータとが認識され、付加手段により、認識手段によって認識されたＣＭデータに、当該ＣＭデータを強制的に再生させるための強制再生情報が付加され、移動手段により、認識手段によって認識されたＣＭデータの全てが認識手段によって認識された番組データよりも前に移動されるので、ＣＭに分断されることなく番組を視聴させることができ、且つ、ＣＭを確実に視聴させることができる。また、ユーザは何ら操作することなく、記憶手段に記憶されたＣＭデータに強制再生情報が付加されるとともにＣＭデータが番組データの前に移動されるので、ＣＭをより簡易に視聴させることができる。
【００１０】
また、指定手段により、記憶制御手段によって記憶手段に記憶させる放送番組の放送データの記憶開始時間及びチャンネルが指定され、記憶制御手段は、指定手段により指定された記憶開始時間に、指定手段により指定されたチャンネルの放送データの記憶を記憶手段に開始させるので、ユーザは記憶開始時間とチャンネルさえ指定手段により指定すれば、所望する放送番組を記憶手段に記憶させることができ、使い勝手がよい。
【００１１】
また、放送スケジュール取得手段により、サーバに記憶された放送番組が放送される予定の時間情報である放送スケジュールデータが取得され、確認手段により、放送スケジュール取得手段によって取得された放送スケジュールデータ内の放送データが放送される予定の時間情報と指定手段によって指定された記憶開始時間とが比較されて、指定手段によりどの放送番組の記憶が指定されたのかが確認され、判断手段により、放送結果取得手段により取得された放送結果データ内の番組データ及びＣＭデータが放送された時間情報と現時刻とを比較して、確認手段により確認された放送番組の放送が終了したか否かが判断され、記憶制御手段は、判断手段により、放送番組の放送が終了したと判断された場合に、記憶手段による放送データの記憶を終了させるので、ユーザが放送終了時間を入力しなくとも、自動で放送データの記憶を終了させることができ、より使い勝手がよい。
【００１２】
また、放送スケジュール取得手段により、サーバに記憶された放送スケジュールデータが取得され、確認手段により、当該放送スケジュールデータの時間情報と、指定手段により指定された記憶開始時刻とが比較されて、どの放送番組の記憶が指定されたのかが確認されるので、例えば、放送が放送スケジュールより遅れてしまっても、ユーザが記憶手段に記憶したいと思った放送番組を正確に確認して当該放送番組の番組データを記憶することができる。
【００１３】
請求項２に記載の発明によれば、受信手段により、放送番組の番組データとＣＭデータとを含む放送データが受信され、記憶制御手段により、受信手段によって受信された当該放送データが時間情報と対応付けられて記憶手段に記憶され、放送結果取得手段により、記憶制御手段による放送データの記憶が開始されてから所定時間経過後に、サーバに記憶された放送番組の番組データ及びＣＭデータが放送された時間情報である放送結果データが取得され、認識手段により、放送結果取得手段によって取得された放送結果データ内の番組データ及びＣＭデータが放送された時間情報と記憶手段に記憶された放送データの時間情報とが比較されて、記憶手段に記憶された放送データに含まれる番組データとＣＭデータとが認識され、付加手段により、認識手段によって認識されたＣＭデータに、当該ＣＭデータを強制的に再生させるための強制再生情報が付加され、移動手段により、認識手段によって認識されたＣＭデータの全てが認識手段によって認識された番組データよりも前に移動されるので、ＣＭに分断されることなく番組を視聴させることができ、且つ、ＣＭを確実に視聴させることができる。また、ユーザは何ら操作することなく、記憶手段に記憶されたＣＭデータに強制再生情報が付加されるとともにＣＭデータが番組データの前に移動されるので、ＣＭをより簡易に視聴させることができる。
【００１４】
請求項３に記載の発明によれば、請求項２に記載の発明と同様の効果が得られるのは勿論のこと、特に、指定手段により、記憶制御手段によって記憶手段に記憶させる放送番組の放送データの記憶開始時間及びチャンネルが指定され、記憶制御手段は、指定手段により指定された記憶開始時間に、指定手段により指定されたチャンネルの放送データの記憶を記憶手段に開始させるので、ユーザは記憶開始時間とチャンネルさえ指定手段により指定すれば、所望する放送番組を記憶手段に記憶させることができ、使い勝手がよい。
【００１５】
請求項４に記載の発明によれば、請求項２又は３に記載の発明と同様の効果が得られるのは勿論のこと、特に、放送スケジュール取得手段により、サーバに記憶された放送番組が放送される予定の時間情報である放送スケジュールデータが取得され、確認手段により、放送スケジュール取得手段によって取得された放送スケジュールデータ内の放送データが放送される予定の時間情報と指定手段によって指定された記憶開始時間とが比較されて、指定手段によりどの放送番組の記憶が指定されたのかが確認され、判断手段により、放送結果取得手段により取得された放送結果データ内の番組データ及びＣＭデータが放送された時間情報と現時刻とを比較して、確認手段により確認された放送番組の放送が終了したか否かが判断され、記憶制御手段は、判断手段により、放送番組の放送が終了したと判断された場合に、記憶手段による放送データの記憶を終了させるので、ユーザが放送終了時間を入力しなくとも、自動で放送データの記憶を終了させることができ、より使い勝手がよい。
また、放送スケジュール取得手段により、サーバに記憶された放送スケジュールデータが取得され、確認手段により、当該放送スケジュールデータの時間情報と、指定手段により指定された記憶開始時刻とが比較されて、どの放送番組の記憶が指定されたのかが確認されるので、例えば、放送が放送スケジュールより遅れてしまっても、ユーザが記憶手段に記憶したいと思った放送番組を正確に確認して当該放送番組の番組データを記憶することができる。
【発明を実施するための最良の形態】
【００１６】
以下、図を参照して、本発明に係る放送記録装置及び放送記録システムを実施するための最良の形態を詳細に説明する。
【００１７】
まず、本発明に係る放送記録システム１００の構成について図を参照しながら説明する。
本発明に係る放送記録システム１００は、例えば、図１に示すように、サーバ１，当該サーバ１とネットワークＮを介して接続される放送記録装置２等を備えて構成されている。
また、放送番組の番組データ及びＣＭデータを含む放送データは、放送局（図示省略）から放送波により各放送記録装置２へ送信される。
【００１８】
サーバ１は、例えば、図１に示すように、制御部１Ａ、通信部１Ｂ、放送スケジュールデータベース１Ｃ，放送結果データベース１Ｄ等を備えて構成される。
【００１９】
制御部１Ａは、例えば、ＣＰＵ（図示省略），ＲＡＭ（図示省略），記憶部（図示省略）等を備えて構成され、記憶部に記憶されている各種プログラムをＲＡＭに展開することにより、サーバ１全体の制御を行う。
【００２０】
通信部１Ｂは、例えば、ネットワークＮを介して、当該サーバ１と放送記録装置２との間の通信を行う。
【００２１】
放送スケジュールデータベース１Ｃは、例えば、番組データ及びＣＭデータからなる放送データが放送される予定の時間情報である放送スケジュールデータを記憶している。ここで、放送スケジュールデータとは、例えば、各チャンネルの放送番組の放送データと、当該放送データの予定放送開始時間及び予定放送終了時間とが対応付けられたデータである。放送スケジュールデータベース１Ｃは、放送スケジュールデータを記憶することにより、放送スケジュール記憶手段として機能する。
【００２２】
放送結果データベース１Ｄは、例えば、放送番組のうち番組データ及びＣＭデータが放送された時間情報である放送結果データを記憶している。ここで放送結果データとは、例えば、各チャンネルの放送番組の番組データ及びＣＭデータと、当該番組データ及びＣＭデータの放送開始時間及び放送終了時間とが対応付けられたデータである。放送結果データベース１Ｄは、放送結果データを記憶することにより、放送結果記憶手段として機能する。
【００２３】
放送記録装置２は、例えば、図１に示すように、出力装置３と接続されている。
【００２４】
放送記録装置２は、例えば、図２に示すように、アンテナ４，チューナ部５，ＨＤＤ６，デコーダ７，エンコーダ８，入力部９，通信部１０，ＣＰＵ（Central  Processing  Unit）１１，ＲＡＭ（Random  Access  Memory）１２，記憶部１３等を備えて構成されている。
【００２５】
アンテナ４は、例えば、パラボラアンテナやＵＨＦアンテナ等であり、放送波を受信し、ＲＦ（Radio  Frequency）信号をチューナ部５に出力する。なお、ＣＡＴＶ回線を介して放送データを受信する場合には、アンテナ４の代わりに、接続ケーブル（図示省略）等が備えられてもよい。これにより、アンテナ４は、受信手段の一部として機能する。
【００２６】
チューナ部５は、例えば、ミキサ（図示省略），選局回路（図示省略），Ａ／Ｄ変換回路（図示省略）等を備えて構成され、ミキサ，選局回路等により、アンテナ４から入力されたＲＦ信号がユーザが所望するチャンネルのＩＦ（Intermediate  Frequency）信号に変換され、Ａ／Ｄ変換回路により、生成されたＩＦ信号がデジタルデータである放送データに変換される。これにより、チューナ部５は、アンテナ４とともに受信手段の一部として機能する。
【００２７】
ＨＤＤ６は、例えば、磁気的記録媒体等を備えて構成され、ＣＰＵ１１が後述する録画プログラム１３Ｃを実行することに基づいて、放送データと時間情報とを対応づけて記憶する。これにより、ＨＤＤ６は、記憶手段として機能する。
【００２８】
デコーダ７は、例えば、チューナ部５又はＨＤＤ６から入力される放送データに復号処理等を行って、出力装置３等に出力する。
【００２９】
エンコーダ８は、例えば、デコーダ７により復号処理された放送データに符号化処理を行って、ＨＤＤ６等に出力する。
【００３０】
入力部９は、例えば、各種の操作信号を入力するための各種のキー等を備え、ユーザにより操作されることによって、各種の操作信号をＣＰＵ１１に出力する。より具体的には、入力部９は、ユーザにより操作されることによって、例えば、当該放送記録装置２に放送データの記録を開始させる記憶開始時間としての予約時間及びチャンネルを指定する操作信号をＣＰＵ１１に出力する。これにより、入力部９は、指定手段として機能する。
【００３１】
通信部１０は、例えば、ネットワークＮを介して当該放送記録装置２とサーバ１との間の通信を行う。
【００３２】
ＣＰＵ１１は、記憶部１３に格納された処理プログラム等を読み出して、ＲＡＭ１２に展開して実行することにより、放送記録装置２全体の制御を行う。
【００３３】
ＲＡＭ１２は、ＣＰＵ１１により実行された処理プログラム等を、ＲＡＭ１２内のプログラム格納領域に展開するとともに、入力データや上記処理プログラムが実行される際に生じる処理結果等をデータ格納領域に格納する。
【００３４】
記憶部１３は、例えば、プログラムやデータ等が予め記憶されている記録媒体（図示せず）を有しており、この記録媒体は、例えば、半導体メモリ等で構成されている。また、記憶部１３は、ＣＰＵ１１が放送記録装置２全体を制御する機能を実現させるための各種データ，各種処理プログラム，これらプログラムの実行により処理されたデータ等を記憶する。より具体的には、記憶部１３は、例えば、図２に示すように、放送スケジュールデータファイル１３Ａ，放送結果データファイル１３Ｂ，録画プログラム１３Ｃ，放送スケジュール取得プログラム１３Ｄ，放送結果取得プログラム１３Ｅ，録画番組確認プログラム１３Ｆ，録画番組終了判断プログラム１３Ｇ，編集プログラム１３Ｈ，再生制御プログラム１３Ｉ等を格納している。
【００３５】
放送スケジュールデータファイル１３Ａは、例えば、ＣＰＵ１１が後述する放送スケジュール取得プログラム１３Ｄを実行することにより取得された放送スケジュールデータを記憶している。放送スケジュールデータファイル１３Ａに記憶される放送スケジュールデータの一例を図３に示す。図３には、番組Ａの放送が時刻ｔ１に終了し、番組Ｂの放送が時刻ｔ１〜時刻ｔ２までであり、番組Ｃの放送が時刻ｔ２から始まる放送スケジュールが示されている。
【００３６】
放送結果データファイル１３Ｂは、例えば、ＣＰＵ１１が後述する放送結果取得プログラム１３Ｅを実行することにより取得された放送結果データを記憶している。放送結果データファイル１３Ｂに記憶される放送結果データの一例を図３に示す。図３に示す放送結果データには、放送スケジュール通りに放送がされ、番組Ａの後半の放送（以下、番組Ａ２の放送と称する）が時刻ｔ３に終了し、ＣＭ１の放送が時刻ｔ３〜時刻ｔ１までであり、番組Ｂの前半の放送（以下、番組Ｂ１の放送と称する）が時刻ｔ１〜時刻ｔ４までであり、ＣＭ２の放送が時刻ｔ４〜時刻ｔ５までであり、番組Ｂの後半の放送（以下、番組Ｂ２の放送と称する）が時刻ｔ５〜時刻ｔ６までであり、ＣＭ３の放送が時刻ｔ６〜時刻ｔ２までであり、番組Ｃの放送が時刻ｔ２から始まった放送結果が示されている。
【００３７】
録画プログラム１３Ｃは、例えば、ＣＰＵ１１に、アンテナ４により受信され、チューナ部５から出力される放送データを時間情報と対応づけてＨＤＤ６に記憶させることにより、放送データを録画する機能を実現させるプログラムである。より具体的には、録画プログラム１３Ｃは、ＣＰＵ１１に、ユーザが入力部９を操作することにより指定した予約時間に、チューナ部５を制御してユーザが入力部９を操作することにより指定したチャンネルの放送データをデジタルデータに変換させ、デコーダ７を制御して復号させ、当該放送データのヘッダー領域に時間情報を付加し、エンコーダ８を制御して当該放送データを符号化させ、当該放送データのＨＤＤ６への記憶を開始し、録画番組終了判断プログラム１３Ｇを実行することにより放送番組の放送が終了したと判断した場合に、当該放送データのＨＤＤ６への記憶を終了する制御を行う機能を実現させるプログラムである。ＣＰＵ１１は、かかる録画プログラム１３Ｃを実行することにより、記憶制御手段として機能する。
【００３８】
放送スケジュール取得プログラム１３Ｄは、例えば、ＣＰＵ１１に、サーバ１の放送スケジュールデータベース１Ｃから、放送スケジュールデータを取得する機能を実現させるプログラムである。より具体的には、放送スケジュール取得プログラム１３Ｄは、例えば、ＣＰＵ１１に、通信部１０を制御して、サーバ１にアクセスさせ、サーバ１の放送スケジュールデータベース１Ｃを参照し、放送スケジュールデータを取得し、放送スケジュールデータファイル１３Ａに記憶させる機能を実現させるプログラムである。ＣＰＵ１１は、かかる放送スケジュール取得プログラム１３Ｄを実行することにより、放送スケジュール取得手段として機能する。
【００３９】
放送結果取得プログラム１３Ｅは、例えば、ＣＰＵ１１に、録画開始から所定時間（例えば、１分）経過後、サーバ１の放送結果データベース１Ｄから、放送結果データを取得する機能を実現させるプログラムである。より具体的には、放送結果取得プログラム１３Ｅは、例えば、ＣＰＵ１１に、通信部１０を制御して、録画開始から１分毎にサーバ１にアクセスさせ、サーバ１の放送結果データベース１Ｄを参照し、放送結果データを取得し、放送結果データファイル１３Ｂに記憶させる機能を実現させるプログラムである。ＣＰＵ１１は、かかる放送結果取得プログラム１３Ｅを実行することにより、放送結果取得手段として機能する。
【００４０】
録画番組確認プログラム１３Ｆは、例えば、ＣＰＵ１１に、放送スケジュールデータファイル１３Ａに記憶された放送スケジュールデータの放送データが放送される予定の時間情報と入力部９から入力されて指定された予約時間とを比較して、どの放送番組の番組データの記憶が指定されたのかを確認する機能を実現させるプログラムである。例えば、ＣＰＵ１１は、録画番組確認プログラム１３Ｆを実行することにより、予約時間が図３の放送スケジュールデータにおける時刻ｔ１である場合には、番組Ｂの番組データの記憶が指定されたと判断する。ＣＰＵ１１は、かかる録画番組確認プログラム１３Ｆを実行することにより、確認手段として機能する。
【００４１】
録画番組終了判断プログラム１３Ｇは、例えば、ＣＰＵ１１に、放送結果データファイル１３Ｂに記憶された放送結果データ内の番組データ及びＣＭデータが放送された時間情報と現時刻とを比較して、録画番組確認プログラム１３Ｆを実行することにより確認した番組データの放送が終了したか否かを判断する機能を実現させるプログラムである。例えば、ＣＰＵ１１は、録画番組終了判断プログラム１３Ｇを実行することにより、現時刻と図３に示す放送結果データの時間情報とを比較し、現時刻がｔ２を経過したか否かにより、番組Ｂが終了したか否かを判断する。ＣＰＵ１１は、かかる録画番組終了判断プログラム１３Ｇを実行することにより、判断手段として機能する。
【００４２】
ここで、例えば、予約時間が図３における時刻ｔ１であり、放送結果データが図３に示す場合において、ＣＰＵ１１が録画番組終了判断プログラム１３Ｇを実行することにより番組Ｂが終了したと判断され、録画プログラム１３Ｃの実行に基づいて、時刻ｔ７に放送データの記憶を終了させたときにＨＤＤ６に記憶された放送データの一例を図３に示す。ＨＤＤ６に記憶された放送データには、例えば、図３に示すように、時刻ｔ１〜時刻ｔ４までに番組Ｂ１の番組データ、時刻ｔ４〜時刻ｔ５までにＣＭ２のＣＭデータ、時刻ｔ５〜時刻ｔ６までに番組Ｂ２の番組データ、時刻ｔ６〜時刻ｔ２までにＣＭ３のＣＭデータ、時刻ｔ２〜時刻ｔ７までに番組Ｃの一部の番組データが含まれている。
【００４３】
編集プログラム１３Ｈは、例えば、ＣＰＵ１１に、放送結果データファイル１３Ｂに記憶された放送結果データ内の番組データ及びＣＭデータが放送された時間情報と、ＨＤＤ６に記憶された放送データの時間情報とを比較して、当該放送データに含まれる番組データとＣＭデータとを認識し、ＣＭデータに当該ＣＭデータを強制的に再生させるための強制再生情報としての強制再生フラグを付加するとともに、ＣＭデータを番組データの前に移動させ、当該放送データに含まれる余分なデータを消去する機能を実現させるプログラムである。より具体的には、編集プログラム１３Ｈは、例えば、ＣＰＵ１１に、デコーダ７を制御して、ＨＤＤ６に記憶された放送データを復号させ、放送結果データファイル１３Ｂに記憶された放送結果データの時間情報と、デコードした放送データのヘッダーに記憶された時間情報とを比較して、当該放送データに含まれる番組データとＣＭデータとを認識し、ＣＭデータのヘッダー領域に強制再生フラグを付加し、ＣＭデータを番組データの前に移動させ、当該放送データに含まれる余分なデータを消去し、エンコーダ８を制御して、当該放送データを符号化させ、ＨＤＤ６に記憶させる機能を実現させるプログラムである。ＣＰＵ１１は、かかる編集プログラム１３Ｈを実行することにより、認識手段，付加手段，移動手段として機能する。
【００４４】
より具体的には、ＣＰＵ１１は、編集プログラム１３Ｈを実行することにより、例えば、図３に示す放送結果データの時間情報と図３に示すＨＤＤ６に記憶された放送データの時間情報とを比較し、当該放送データには、時刻ｔ１〜時刻ｔ４までに番組Ｂ１の番組データ、時刻ｔ４〜時刻ｔ５までにＣＭ２のＣＭデータ、時刻ｔ５〜時刻ｔ６までに番組Ｂ２の番組データ、時刻ｔ６〜時刻ｔ２までにＣＭ３のＣＭデータ、時刻ｔ２〜時刻ｔ７までに番組Ｃの一部の番組データが含まれていることを認識する。次に、ＣＰＵ１１は、編集プログラム１３Ｈの実行に基づいて、図４に示すように、時刻ｔ４〜時刻ｔ５までのＣＭ２のＣＭデータ及び時刻ｔ６〜時刻ｔ２までのＣＭ３のＣＭデータに強制再生フラグを付加するとともに、ＨＤＤ６に記憶された放送データの先頭（番組Ｂ１の番組データの前側）に移動させる。次に、ＣＰＵ１１は、編集プログラム１３Ｈの実行に基づいて、一部しか記憶されていない放送データ、即ち、時刻ｔ２〜時刻ｔ７までの番組Ｃの一部の番組データを余分なデータと判断し、消去する。
【００４５】
再生制御プログラム１３Ｉは、例えば、ＣＰＵ１１に、ユーザにより入力部９が操作されてＨＤＤ６に記憶された放送データの再生を指示する操作信号が入力された場合に、デコーダ７を制御してＨＤＤ６に記憶された放送データに復号処理等を行わせ、出力装置３に出力させるとともに、当該放送データに強制再生フラグが付加されているか否かを判断して、強制再生フラグが付加されている放送データの再生中には、入力部９からの操作信号の入力を無効にする制御を行う機能を実現させるプログラムである。
【００４６】
出力装置３は、例えば、図２に示すように、表示部３Ａ，音出力部３Ｂ等を備えて構成され、デコーダ７から出力されるビデオデータ，オーディオデータに基づく映像，音声を表示部３Ａ，音出力部３Ｂに出力させる。
【００４７】
次に、上述のような構成の放送記録装置２の録画動作について、図５に示すフローチャートを参照しながら説明する。
まず、ユーザにより入力部９が操作されて、予約時間及びチャンネルを指定する操作信号が入力されると（ステップＳ１）、ＣＰＵ１１は、指定された予約時間に、指定されたチャンネルの放送データの記憶を開始する制御を行って、録画プログラム１３Ｃを実行することにより、当該放送データのＨＤＤ６への記憶を開始させる（ステップＳ２）。
【００４８】
次に、ＣＰＵ１１は、放送スケジュール取得プログラム１３Ｄを実行することにより、通信部１０を制御して、サーバ１にアクセスさせ、サーバ１の放送スケジュールデータベース１Ｃを参照し、放送スケジュールデータを取得し、放送スケジュールデータファイル１３Ａに記憶させる（ステップＳ３）。
【００４９】
次に、ＣＰＵ１１は、録画番組確認プログラム１３Ｆを実行することにより、放送スケジュールデータファイル１３Ａに記憶された放送スケジュールデータの放送データが放送される予定の時間情報と入力部９から入力されて指定された予約時間とを比較して、どの放送番組の番組データの記憶が指定されたのかを確認する（ステップＳ４）。
【００５０】
次に、ＣＰＵ１１は、放送結果取得プログラム１３Ｅを実行することにより、通信部１０を制御して、サーバ１にアクセスさせ、サーバ１の放送結果データベース１Ｄを参照し、放送結果データを取得し、放送結果データファイル１３Ｂに記憶させる（ステップＳ５）。
【００５１】
次に、ＣＰＵ１１は、録画番組終了判断プログラム１３Ｇを実行することにより、放送結果データファイル１３Ｂに記憶された放送結果データ内の番組データ及びＣＭデータが放送された時間情報と現時刻とを比較して、録画番組確認プログラム１３Ｆを実行することにより確認した番組データの放送が終了したか否かを判断する（ステップＳ６）。
【００５２】
ステップＳ６において、ＣＰＵ１１が、番組データの放送が終了していないと判断した場合には（ステップＳ６；Ｎｏ）、ステップＳ５に戻る。
ステップＳ６において、ＣＰＵ１１が、番組データの放送が終了したと判断した場合には（ステップＳ６；Ｙｅｓ）、ＣＰＵ１１は、録画プログラム１３Ｃの実行に基づき、放送データのＨＤＤ６への記憶を終了させる（ステップＳ７）。
【００５３】
次に、本発明に係る放送記録装置２の編集動作について、図６に示すフローチャートを参照しながら説明する。
まず、ＣＰＵ１１は、編集プログラム１３Ｈを実行することにより、放送結果データファイル１３Ｂに記憶された放送結果データ内の番組データ及びＣＭデータが放送された時間情報と、ＨＤＤ６に記憶された放送データの時間情報とを比較して、当該放送データに含まれる番組データとＣＭデータとを認識する（ステップＳ１０１）。
【００５４】
次に、ＣＰＵ１１は、当該放送データに含まれるＣＭデータに強制再生フラグを付加する（ステップＳ１０２）。
【００５５】
次に、ＣＰＵ１１は、ＣＭデータを番組データの前に移動させる（ステップＳ１０３）。
【００５６】
次に、ＣＰＵ１１は、当該放送データに含まれる余分なデータを消去する（ステップＳ１０４）。
【００５７】
次に、本発明に係る放送記録装置２の再生動作について、図７に示すフローチャートを参照しながら説明する。
まず、ユーザにより入力部９が操作されてＨＤＤ６に記憶された放送データの再生を指示する操作信号が入力されると（ステップＳ２０１）、ＣＰＵ１１は、再生制御プログラム１３Ｉを実行することにより、デコーダ７を制御してＨＤＤ６に記憶された放送データに復号処理等を行わせ、出力装置３に出力させるとともに、当該放送データに強制再生フラグが付加されているか否かを判断する（ステップＳ２０２）。
【００５８】
ステップＳ２０２において、ＣＰＵ１１が、放送データに強制再生フラグが付加されていると判断した場合には（ステップＳ２０２；Ｙｅｓ）、ＣＰＵ１１は、再生制御プログラム１３Ｉの実行に基づいて、当該放送データの再生中における、入力部９からの操作信号の入力を無効にする制御を行う（ステップＳ２０３）。
【００５９】
ステップＳ２０２において、ＣＰＵ１１が、放送データに強制再生フラグが付加されていないと判断した場合には（ステップＳ２０２；Ｎｏ）、ＣＰＵ１１は、再生制御プログラム１３Ｉの実行に基づいて、当該放送データの再生中における、入力部９からの操作信号の入力を有効とする制御を行う（ステップＳ２０４）。
【００６０】
また、本実施形態に係る放送記録システム１００及び放送記録装置２は、放送時間が遅れてしまった場合にも対応可能である。図３と同様の放送スケジュールデータを図８に示し、放送時間が遅れてしまった場合の放送結果データの一例を図８に示す。図８に示す放送結果データには、図８に示す放送スケジュールより放送が遅れて、番組Ａの放送（ＣＭ１の放送）が時刻ｔ１よりも遅い時刻ｔ９に終了し、番組Ａ２の放送がｔ８に終了し、ＣＭ１の放送が時刻ｔ８〜時刻ｔ９までであり、番組Ｂ１の放送が時刻ｔ９〜時刻ｔ１０であり、ＣＭ２の放送が時刻ｔ１０〜時刻ｔ１１までであり、番組Ｂ２の放送が時刻ｔ１１〜時刻ｔ１２までであり、ＣＭ３の放送が時刻ｔ１２〜時刻ｔ１３までであり、番組Ｃの放送が時刻ｔ１３から始まった放送結果が示されている。
【００６１】
そして、ユーザにより入力部９が操作されて予約時間として時刻ｔ１が指定されると、ＣＰＵ１１が録画プログラム１３Ｃを実行することにより時刻ｔ１に、ユーザが入力部９を操作することにより指定されたチャンネルの放送データのＨＤＤ６への記憶が開始される。次いで、ＣＰＵ１１が、録画番組確認プログラム１３Ｆを実行することにより、放送スケジュールデータが参照されて番組Ｂの番組データの記憶が指定されたと判断される。次いで、ＣＰＵ１１が、録画番組終了判断プログラム１３Ｇを実行することにより、番組Ｂの放送が終了したか否かが判断され、番組Ｂの放送が終了したと判断された場合に、録画プログラム１３Ｃの実行基づいて、当該放送データのＨＤＤ６への記憶が終了される。
【００６２】
ここで、図８における時刻ｔ７において、放送データのＨＤＤ６への記憶が終了された場合に、ＨＤＤ６に記憶された放送データの一例を図８に示す。ＨＤＤ６に記憶された放送データには、例えば、図８に示すように、時刻ｔ１〜時刻ｔ９までにＣＭ１の一部のＣＭデータ、時刻ｔ９〜時刻ｔ１０までに番組Ｂ１の番組データ、時刻ｔ１０〜時刻ｔ１１までにＣＭ２のＣＭデータ、時刻ｔ１１〜時刻ｔ１２までに番組Ｂ２の番組データ、時刻ｔ１２〜時刻ｔ１３までにＣＭ３のＣＭデータ、時刻ｔ１３〜時刻ｔ７までに番組Ｃの一部の番組データが含まれている。
【００６３】
そして、ＣＰＵ１１が編集プログラム１３Ｈを実行することにより、例えば、図９に示すように、時刻ｔ１０〜時刻ｔ１１までのＣＭ２のＣＭデータ及び時刻ｔ１２〜時刻ｔ１３までのＣＭ３のＣＭデータに強制再生フラグが付加され、時刻ｔ１〜時刻９までのＣＭ１のＣＭデータとともにＨＤＤ６に記憶された放送データの先頭（番組Ｂ１の番組データの前側）に移動させる。また、一部しか記憶されていない放送データ、即ち、時刻ｔ１〜時刻ｔ９までのＣＭ１の一部のＣＭデータ及び時刻ｔ１３〜時刻ｔ７までの番組Ｃの一部の番組データが余分なデータと判断され、消去される。
【００６４】
以上に説明した本発明に係る放送記録システム１００及び放送記録装置２によれば、アンテナ４により、放送番組の番組データとＣＭデータとを含む放送データが受信され、ＣＰＵ１１が録画プログラム１３Ｃを実行することにより、アンテナ４によって受信された当該放送データが時間情報と対応付けられてＨＤＤ６に記憶され、ＣＰＵ１１が放送結果取得プログラム１３Ｅを実行することにより、放送データの記憶が開始されてから所定時間経過後に、サーバ１に記憶された放送番組の番組データ及びＣＭデータが放送された時間情報である放送結果データが取得され、ＣＰＵ１１が編集プログラム１３Ｈを実行することにより、放送結果データ内の番組データ及びＣＭデータが放送された時間情報とＨＤＤ６に記憶された放送データの時間情報とが比較されて、ＨＤＤ６に記憶された放送データに含まれる番組データとＣＭデータとが認識され、認識されたＣＭデータに、当該ＣＭデータを強制的に再生させるための強制再生フラグが付加され、認識されたＣＭデータの全てが認識された番組データよりも前に移動されるので、ＣＭに分断されることなく番組を視聴させることができ、且つ、ＣＭを確実に視聴させることができる。また、ユーザは何ら操作することなく、ＨＤＤ６に記憶されたＣＭデータに強制再生フラグが付加されるとともにＣＭデータが番組データの前に移動されるので、ＣＭをより簡易に視聴させることができる。また、ＣＰＵ１１が編集プログラム１３Ｈを実行することにより、ＨＤＤ６に記憶された放送データのうち余分なデータが判断されて消去されるので、ＨＤＤ６の使用効率を高めることができる。
【００６５】
また、ユーザが入力部９を操作することにより、ＨＤＤ６に記憶させる放送番組の放送データの予約時間及びチャンネルが指定され、ＣＰＵ１１は、録画プログラム１３Ｃを実行することにより、予約時間に、指定されたチャンネルの放送データのＨＤＤ６への記憶を開始させるので、ユーザは予約時間とチャンネルさえ入力部９により指定すれば、所望する放送番組をＨＤＤ６に記憶させることができ、使い勝手がよい。
【００６６】
また、ＣＰＵ１１が放送スケジュール取得プログラム１３Ｄを実行することにより、サーバ１に記憶された放送番組が放送される予定の時間情報である放送スケジュールデータが取得され、ＣＰＵ１１が録画番組確認プログラム１３Ｆを実行することにより、放送スケジュール取得手段によって取得された放送スケジュールデータ内の放送データが放送される予定の時間情報と、ユーザが入力部９を操作することによって指定した予約時間とが比較されて、どの放送番組の記憶が指定されたのかが確認され、ＣＰＵ１１が録画番組終了判断プログラム１３Ｇを実行することにより、放送結果データ内の番組データ及びＣＭデータが放送された時間情報と現時刻とを比較して、放送番組の放送が終了したか否かが判断され、放送番組の放送が終了したと判断された場合に、ＣＰＵ１１は、録画プログラム１３Ｃの実行に基づいて、ＨＤＤ６への放送データの記憶を終了させるので、ユーザが放送終了時間を入力しなくとも、自動で放送データの記憶を終了させることができ、より使い勝手がよい。
【００６７】
また、ＣＰＵ１１が放送スケジュール取得プログラム１３Ｄを実行することにより、放送スケジュールデータがサーバ１から取得され、ＣＰＵ１１が録画番組確認プログラム１３Ｆを実行することにより、当該放送スケジュールデータの時間情報と、ユーザが入力部９を操作することにより指定した予定時間とを比較して、どの放送番組の記憶が指定されたのかが確認されるので、例えば、放送が放送スケジュールより遅れてしまっても、ユーザがＨＤＤ６に記憶したいと思った放送番組を正確に確認して当該放送番組の番組データを記憶することができる。
【００６８】
なお、本実施形態において、図６に示すフローチャートのステップＳ１０２，ステップＳ１０３，ステップＳ１０４の処理の順序は、例示したものに限られるものではなく、どのような順番で行われてもよい。
放送スケジュールデータは、放送データに重畳されて送信されるＥＰＧデータを利用してもよい。
また、本発明に係る放送記録装置２は、放送データを一時的に記憶するバッファを備えて構成されてもよく、その場合には、当該放送記録装置２における録画動作と編集動作の一部が同時に行われてもよい。より具体的には、ＣＰＵ１１が録画プログラム１３Ｃを実行することにより、復号処理されヘッダー領域に時間情報が付加された放送データが、当該バッファに一時的に記憶され、その後、ＣＰＵ１１が編集プログラム１３Ｈを実行することにより、放送結果データの時間情報と当該放送データの時間情報とが比較されて番組データ及びＣＭデータとが認識され、ＣＭデータのヘッダー領域に強制再生フラグが付加されて、符号化処理され、ＨＤＤ６に記憶されてもよい。
【図面の簡単な説明】
【００６９】
【図１】本発明に係る放送記録システムを示すシステム構成図である。
【図２】本発明に係る放送記録装置及び出力装置の構成を示すブロック図である。
【図３】本発明に係る放送スケジュールデータの一例，放送結果データの一例，ＨＤＤに記録された放送データの一例を示す図である。
【図４】本発明に係る放送記録装置によるＨＤＤに記録された放送データの編集動作を説明するための図である。
【図５】本発明に係る放送記録装置による録画動作を説明するためのフローチャートである。
【図６】本発明に係る放送記録装置による編集動作を説明するためのフローチャートである。
【図７】本発明に係る放送記録装置による再生動作を説明するためのフローチャートである。
【図８】本発明に係る放送スケジュールデータの一例，放送結果データの一例，ＨＤＤに記録された放送データの一例を示す図である。
【図９】本発明に係る放送記録装置によるＨＤＤに記録された放送データの編集動作を説明するための図である。
【符号の説明】
【００７０】
１  サーバ
１Ｃ  放送スケジュールデータベース（放送スケジュール記憶手段）
１Ｄ  放送結果データベース（放送結果記憶手段）
２  放送記録装置
４  アンテナ（受信手段）
５  チューナ部（受信手段）
６  ＨＤＤ（記憶手段）
９  入力部（指定手段）
１１  ＣＰＵ（記憶制御手段，放送スケジュール取得手段，放送結果取得手段，確認手段，判断手段，認識手段，付加手段，移動手段）
１３Ｃ  録画プログラム（記憶制御手段）
１３Ｄ  放送スケジュール取得プログラム（放送スケジュール取得手段）
１３Ｅ  放送結果取得プログラム（放送結果取得手段）
１３Ｆ  録画番組確認プログラム（確認手段）
１３Ｇ  録画番組終了判断プログラム（判断手段）
１３Ｈ  編集プログラム（認識手段，付加手段，移動手段）
１００  放送記録システム
Ｎ  ネットワーク
【図１】
2007214672.tif 000003
【図２】
2007214672.tif 000004
【図３】
2007214672.tif 000005
【図４】
2007214672.tif 000006
【図５】
2007214672.tif 000007
【図６】
2007214672.tif 000008
【図７】
2007214672.tif 000009
【図８】
2007214672.tif 000010
【図９】
2007214672.tif 000011